(57)【要約】【課題】  タッチパネルの画面上でタッチした機能キーに対応する操作ウィンドウの表示時の体感速度を大きくできるウィンドウ表示装置を提供する。【解決手段】  タッチパネル５の画面５ａ上でタッチした機能キー８の座標位置情報及びＲＯＭ（記憶手段）３に記憶されたウィンドウ表示ルールに基づいて操作ウィンドウ９の座標位置情報及び機能キー８と操作ウィンドウ９との間に表示される中間ウィンドウの座標位置情報を算出する手段と、ＲＯＭ３に機能キー８と対応付けて記憶された操作ウィンドウ９を算出された中間ウィンドウの座標位置情報に基づいて画面５ａに中間ウィンドウとして一定時間表示する手段と、中間ウィンドウの表示後又は表示途中に記憶された操作ウィンドウ９を算出された操作ウィンドウ９の座標位置情報に基づいて画面５ａに表示する手段とを備えた。【選択図】      図２
2005258762.tif 000002
【特許請求の範囲】
【請求項１】
タッチパネルの画面上でタッチした機能キーの座標位置情報及び記憶手段に記憶されたウィンドウ表示ルールに基づいて操作ウィンドウの座標位置情報及び前記機能キーと前記操作ウィンドウとの間に表示される中間ウィンドウの座標位置情報を算出する手段と、記憶手段に前記機能キーと対応付けて記憶された操作ウィンドウを前記算出された中間ウィンドウの座標位置情報に基づいて前記画面に中間ウィンドウとして一定時間表示する手段と、前記中間ウィンドウの表示後又は表示途中に前記記憶された操作ウィンドウを前記算出された操作ウィンドウの座標位置情報に基づいて前記画面に表示する手段とを備えたことを特徴とするウィンドウ表示装置。
【請求項２】
前記中間ウィンドウを表示する手段は、前記記憶された操作ウィンドウを前記算出された中間ウィンドウの座標位置情報に基づいて縮小化し、この縮小化された操作ウィンドウを前記中間ウィンドウとして表示する手段である請求項１記載のウィンドウ表示装置。
【請求項３】
前記中間ウィンドウを表示する手段は、前記記憶された操作ウィンドウの解像度を小さくし、この解像度が小さくされた操作ウィンドウを前記中間ウィンドウとして表示する手段である請求項１又は２記載のウィンドウ表示装置。
【発明の詳細な説明】
【技術分野】
【０００１】
本発明は、タッチパネルの画面上でタッチした機能キーに対応する操作ウィンドウを画面に表示するウィンドウ表示装置に関するものである。
【背景技術】
【０００２】
従来のこの種の技術としては、表示画面上のプルダウンメニューやポップアップメニュー内における任意の点を呼び出すことにより対応したアプリケーションを選択してウィンドウを開くことで該選択したアプリケーションを起動させるに際し、前記呼び出し状態のまま呼び出し開始点から任意の点までドラッグした後呼び出し状態を解除する時に、これら呼び出し開始点および呼び出し解除点間を結ぶ線を対角線とするウィンドウとして、前記選択したアプリケーションを起動させることを特徴とする表示装置の表示内容制御方法等が知られている（例えば、特許文献１参照。）。
【特許文献１】特開２０００−２５９３０６公報（第２−１１頁，図２等）
【発明の開示】
【発明が解決しようとする課題】
【０００３】
しかしながら、上記のような表示装置の表示内容制御方法においては、画面にウィンドウが単に表示されるだけであるので、ウィンドウの表示時の体感速度はそれ程大きくないという問題点がある。
【０００４】
本発明は、以上のような問題点に鑑みてなされたものであり、タッチパネルの画面上でタッチした機能キーに対応する操作ウィンドウの表示時の体感速度を大きくできるウィンドウ表示装置を提供することを目的とする。
【課題を解決するための手段】
【０００５】
上記目的を達成するための請求項１の発明は、タッチパネルの画面上でタッチした機能キーの座標位置情報及び記憶手段に記憶されたウィンドウ表示ルールに基づいて操作ウィンドウの座標位置情報及び前記機能キーと前記操作ウィンドウとの間に表示される中間ウィンドウの座標位置情報を算出する手段と、記憶手段に前記機能キーと対応付けて記憶された操作ウィンドウを前記算出された中間ウィンドウの座標位置情報に基づいて前記画面に中間ウィンドウとして一定時間表示する手段と、前記中間ウィンドウの表示後又は表示途中に前記記憶された操作ウィンドウを前記算出された操作ウィンドウの座標位置情報に基づいて前記画面に表示する手段とを備えたものである。
【０００６】
請求項２の発明においては、前記中間ウィンドウを表示する手段は、前記記憶された操作ウィンドウを前記算出された中間ウィンドウの座標位置情報に基づいて縮小化し、この縮小化された操作ウィンドウを前記中間ウィンドウとして表示する手段である。
【０００７】
請求項３の発明においては、前記中間ウィンドウを表示する手段は、前記記憶された操作ウィンドウの解像度を小さくし、この解像度が小さくされた操作ウィンドウを前記中間ウィンドウとして表示する手段である。
【発明の効果】
【０００８】
請求項１の発明によれば、操作ウィンドウの表示前に中間ウィンドウを表示するように構成しているので、操作ウィンドウの表示時の体感速度が大きい。
【０００９】
請求項２の発明によれば、表示の順にウィンドウのサイズが大きくなるように視認されるので、操作ウィンドウの表示時の体感速度をより大きくすることができる。
【００１０】
請求項３の発明によれば、表示の順にウィンドウが鮮明になるように視認されるので、中間ウィンドウの表示速度を大きくできると共に、操作ウィンドウの表示時の体感速度を更に大きくすることができる。
【発明を実施するための最良の形態】
【００１１】
以下、本発明の実施形態を図面に基づいて説明する。
実施形態に係るウィンドウ表示装置１は、図１に示すように、ＣＰＵ（Central Processing Unit，中央処理装置）２、ＲＯＭ（Read Only Memory，読み出し専用メモリ）（記憶手段）３、ＲＡＭ（Random Access Memory，随時書き込み読み出しメモリ）４、タッチパネル５、計時部６等を備えており、各部２〜６等はバス７を介して互いに通信可能に接続されている。
【００１２】
このようなウィンドウ表示装置１としては、コピー機能、ＦＡＸ通信機能、ＰＣ−ＦＡＸ通信機能（パーソナルコンピュータ等のクライアント端末からのネットワークを介したダイレクトＦＡＸ通信機能）、インターネットＦＡＸ通信機能〔インターネットを利用したＦＡＸ通信機能，ＴＩＦＦ（Tagged Image File Format）形式又はＰＤＦ（Portable Document Format）形式等に変換した画データを電子メールに添付して通信する機能〕、ネットワークプリンタ機能（クライアント端末からのネットワークを介したダイレクト印刷機能）、及びネットワークスキャナ機能（クライアント端末へのネットワークを介したダイレクトスキャン機能）等を有するデジタル複合機等が挙げられる。
【００１３】
ＲＯＭ３は、ＣＰＵ２により各部３〜６等の動作を制御するための各種制御プログラム、図２のような機能キー８の座標位置情報、機能キー８と対応付けられた図３のような操作ウィンドウ９、及び後述するウィンドウ表示ルール等を記憶した記憶部として機能する。
【００１４】
機能キー８としては、「リダイヤル」の他、「画質」、「濃度」、「オフフック」、「短縮送信」、「応用機能」、「用紙」、「拡大／縮小」、「ソート」等が挙げられる。操作ウィンドウ９は、機能キー８のタッチ後における次の操作が可能なウィンドウであり、図３に示すように、スタートキー１０や中止キー１１等の機能キー、「送信」等の機能名１２、「スタートキーをどうぞ」等のガイドメッセージ１３、「０７５ＸＸＸＸＸＸＸ」等のリダイヤルするファクス番号１４等が追加された四角形状のウィンドウで構成することができる。
【００１５】
機能キー８の座標位置情報としては、図２に示すように、タッチパネル５の画面５ａの例えば左上に位置する基点Ｏの座標位置（０，０）を基準（各画素を１単位，基点Ｏから右横方向をＸ＞０，基点Ｏから下方向をＹ＞０）とした機能キー８の左上点Ｌ０の座標位置（ＸL0，ＹL0）、右下点Ｒ０の座標位置（ＸR0，ＹR0）等が挙げられる。機能キー８は、上記の座標位置情報に基づいてタッチパネル５の画面５ａに表示される。この機能キー８は、「リダイヤル」等の機能名１２が追加された四角形状のアイコンで構成することができる。なお、画面５ａの画素数は特に限定されるものではないが、例えば３２０ドット（Ｘ方向）×２４０ドット（Ｙ方向）＝７６８００ドット等とすることができる。また、機能キー８や操作ウィンドウ９の構成も特に限定されるものではなく、適宜変更可能である。
【００１６】
ＣＰＵ２は、ＲＯＭ３からＲＡＭ４上に読み出した制御プログラム等に従って各部３〜６等の動作を制御する制御部として機能する。ＲＡＭ４は、ＣＰＵ２によりＲＯＭ３から読み出される制御プログラムや各種のデータ等を一時的に記憶する主記憶部として機能する。
【００１７】
タッチパネル５は、ＬＣＤ（Liquid Crystal Display，液晶ディスプレイ）等のディスプレイの画面５ａ全体をカバーするように物体検出センサを取り付けたものであり、画面５ａをオペレータの指等でタッチする（触れる）ことによって画面５ａのどこを指し示したかを検出できるようになっている。検出方法としては、透明電極を用いた圧力検出型、赤外線センサを用いた光学式非接触型等が挙げられる。ウィンドウ表示装置１に対するオペレータによる各種操作は、タッチパネル５や、ハードキーを有する操作部（図示せず）を通じて行われる。
【００１８】
計時部６は、図４のような第１中間ウィンドウ１５や図５のような第２中間ウィンドウ１６の表示時間を計測する。
【００１９】
次に、操作ウィンドウ９の表示処理の手順例を図６及び図７に示すフローチャートに基づいて説明する。なお、この処理は、ＲＯＭ３からＲＡＭ４上に読み出された制御プログラム等に基づいてＣＰＵ２が発行する命令に従って行われる。
【００２０】
この処理において、図２のようにタッチパネル５の画面５ａに表示された機能キー８をオペレータの指等でタッチすれば（ステップＳ１でＹＥＳ）、ＲＯＭ３に記憶された機能キー８の座標位置情報及びウィンドウ表示ルールに基づいて、表示すべき操作ウィンドウ９の座標位置情報が算出される（ステップＳ２）。機能キー８をタッチしていないときは（ステップＳ１でＮＯ）、ステップＳ１に戻る。操作ウィンドウ９の座標位置情報としては、左上点ＬＮの座標位置（ＸLN，ＹLN）、右下点Ｒｎの座標位置（ＸRN，ＹRN）等が挙げられる。なお、操作ウィンドウ９やウィンドウ表示ルール等を記憶する記憶手段はＲＯＭ３に限定されるものではなく、ＨＤＤ（Hard Disk Drive）、光磁気ディスク（Magneto Optical Disk）ドライブ、ＤＶＤ（Digital Versatile Disk）−ＲＡＭドライブ等であってもよい。
【００２１】
次いで、機能キー８の座標位置情報及びウィンドウ表示ルールに基づいて、表示すべき第１中間ウィンドウ１５の座標位置情報が算出される（ステップＳ３）。第１中間ウィンドウ１５の座標位置情報としては、左上点Ｌ１の座標位置（ＸL1，ＹL1）、右下点Ｒ１の座標位置（ＸR1，ＹR1）等が挙げられる。
【００２２】
そして、タッチした機能キー８に対応する操作ウィンドウ９が、算出された第１中間ウィンドウ１５の座標位置情報に基づいて縮小化され（ステップＳ４）、縮小化された操作ウィンドウ９の解像度が１／３にされる（ステップＳ５）。解像度が１／３にされた操作ウィンドウ９は、図４に示すように、算出された第１中間ウィンドウ１５の座標位置情報に基づいて画面５ａに第１中間ウィンドウ１５として表示される（ステップＳ６）。
【００２３】
また、機能キー８の座標位置情報及びウィンドウ表示ルールに基づいて、表示すべき第２中間ウィンドウ１６の座標位置情報が算出される（ステップＳ７）。第２中間ウィンドウ１６の座標位置情報としては、左上点Ｌ２の座標位置（ＸL2，ＹL2）、右下点Ｒ２の座標位置（ＸR2，ＹR2）等が挙げられる。
【００２４】
なお、中間ウィンドウは機能キー８と操作ウィンドウ９との間に表示されるが、本実施形態のように複数の中間ウィンドウを表示する場合は、複数の中間ウィンドウを機能キー８から操作ウィンドウ９に向かって位置をずらしながら一定時間ずつ順に表示するように構成しておけばよい。
【００２５】
次いで、タッチした機能キー８に対応する操作ウィンドウ９が、算出された第２中間ウィンドウ１６の座標位置情報に基づいて縮小化され（ステップＳ８）、縮小化された操作ウィンドウ９の解像度が２／３にされる（ステップＳ９）。そして、第１中間ウィンドウ１５を表示してから一定時間経過していれば第１中間ウィンドウ１５の表示が中止されるが（ステップＳ１０でＹＥＳ）、一定時間経過していなければステップＳ１０に戻る。
【００２６】
解像度が２／３にされた操作ウィンドウ９は、図５に示すように、算出された第２中間ウィンドウ１６の座標位置情報に基づいて画面５ａに第２中間ウィンドウ１６として表示される（ステップＳ１２）。そして、第２中間ウィンドウ１６を表示してから一定時間経過していれば第２中間ウィンドウ１６の表示が中止されるが（ステップＳ１３でＹＥＳ）、一定時間経過していなければステップＳ１３に戻る。なお、後に表示される中間ウィンドウは、その前の中間ウィンドウの表示後でなく、その表示途中に表示されるように構成することもできる。
【００２７】
次いで、タッチした機能キー８に対応する操作ウィンドウ９が、算出された操作ウィンドウ９の座標位置情報に基づいて画面５ａに表示され（ステップＳ１５）、処理が終了する。この場合も上記と同様に、中間ウィンドウの次に表示される操作ウィンドウ９は、その前の中間ウィンドウの表示後でなく、その表示途中に表示されるように構成することもできる。
【００２８】
上記のように構成されたウィンドウ表示装置１によれば、操作ウィンドウ９の表示前に中間ウィンドウを表示するように構成しているので、操作ウィンドウ９の表示時の体感速度が大きいという利点がある。
【００２９】
ここで、本実施形態のように、ＲＯＭ３に記憶された操作ウィンドウ９を、算出された中間ウィンドウの座標位置情報に基づいて縮小化し、縮小化された操作ウィンドウ９を中間ウィンドウとして表示するように構成しておけば、表示の順にウィンドウのサイズが大きくなるように視認されるので、操作ウィンドウ９の表示時の体感速度をより大きくできるという利点がある。また、記憶された操作ウィンドウ９の解像度を小さくし、この解像度が小さくされた操作ウィンドウ９を中間ウィンドウとして表示するように構成しておけば、表示の順にウィンドウが鮮明になるように視認されるので、中間ウィンドウの表示速度を大きくできると共に、操作ウィンドウ９の表示時の体感速度を更に大きくできるという利点がある。この場合、本実施形態のように操作ウィンドウ９の縮小化と解像度の低減化とを併用すれば、より効果的である。また、複数の中間ウィンドウを表示する場合、後に表示される中間ウィンドウほどサイズや解像度が大きくなるように構成しておけば、操作ウィンドウ９の表示時の体感速度をより大きくすることができる。
【産業上の利用可能性】
【００３０】
以上のように、本発明に係るウィンドウ表示装置は、タッチパネルの画面上でタッチした機能キーに対応する操作ウィンドウの表示時の体感速度を大きくするのに適している。
【図面の簡単な説明】
【００３１】
【図１】実施形態に係るウィンドウ表示装置の構成例を示すブロック図。
【図２】タッチパネルの画面に機能キーを表示した例を示す説明図。
【図３】タッチパネルの画面に操作ウィンドウを表示した例を示す説明図。
【図４】タッチパネルの画面に第１中間ウィンドウを表示した例を示す説明図。
【図５】タッチパネルの画面に第２中間ウィンドウを表示した例を示す説明図。
【図６】操作ウィンドウの表示処理の手順例の一部を示すフローチャート。
【図７】操作ウィンドウの表示処理の手順例の一部を示すフローチャート。
【符号の説明】
【００３２】
１  ウィンドウ表示装置
２  ＣＰＵ
３  ＲＯＭ（記憶手段）
５  タッチパネル
５ａ  画面
６  計時部
８  機能キー
９  操作ウィンドウ
１５  第１中間ウィンドウ（中間ウィンドウ）
１６  第２中間ウィンドウ（中間ウィンドウ）
【図１】
2005258762.tif 000003
【図２】
2005258762.tif 000004
【図３】
2005258762.tif 000005
【図４】
2005258762.tif 000006
【図５】
2005258762.tif 000007
【図６】
2005258762.tif 000008
【図７】
2005258762.tif 000009